(57)【要約】【課題】高意匠でかつ防錆効果および絶縁効果がある筐体を提供する。【解決手段】筐体を製造する方法であって、金属が絶縁膜で被覆された所定の形状の部材を用意するステップ（Ｓ０１−Ｓ０３）と、前記部材の一方の面の一部をマスキングするステップ（Ｓ０４）と、前記部材の両面から微粒子を吹き付けてブラスト加工するステップ（Ｓ０５）と、前記部材の他方の面においてブラスト加工された部分に、保護層を形成するステップ（Ｓ０７）と、を備える。【選択図】図１
2012051079.tif 000002
【特許請求の範囲】
【請求項１】
筐体を製造する方法であって、
金属が絶縁膜で被覆された所定の形状の部材を用意するステップと、
前記部材の一方の面の一部をマスキングするステップと、
前記部材の両面から微粒子を吹き付けてブラスト加工するステップと、
前記部材の他方の面においてブラスト加工された部分に、保護層を形成するステップと、
を備える、筺体の製造方法。
【請求項２】
前記マスキングするステップは、樹脂または金属で前記部材の一部を覆うステップを含む、
請求項１に記載の筐体の製造方法。
【請求項３】
前記マスキングするステップは、一部に開口部を設けてマスキングを行い、
前記ブラスト加工するステップによって、前記開口部から露出した絶縁層を剥離し、前記金属の素地を露出させる、
請求項２に記載の筐体の製造方法。
【請求項４】
前記微粒子は、金属系ビーズ、樹脂系ビーズ、ガラス系ビーズまたはセラミック系ビーズである、
請求項１から３のいずれかに記載の筐体の製造方法。
【請求項５】
前記保護層は、光透過性を有する、
請求項１から４のいずれかに記載の筐体の製造方法。
【請求項６】
前記保護層は、塗膜であり、塗装または印刷により形成される、
請求項１から５のいずれかに記載の筐体の製造方法。
【請求項７】
前記保護層は、シートであり、前記部材の表面に接合される、
請求項１から５のいずれかに記載の筐体の製造方法。
【発明の詳細な説明】
【技術分野】
【０００１】
ここに開示された技術は、筐体に関する。特に、筐体にキラキラと反射するきらめき感のある模様を呈する製造方法に関する。
【背景技術】
【０００２】
近年、電子機器では意匠性を高めるため、金属外装の一部にデザイン的に優れたきらめき感のある模様を実現させる製造方法を取り入れることが行われている（例えば特許文献１参照）。
【０００３】
特許文献１において、金属板の表面にブラスト処理を施すことでシボ面が形成される。さらに前記シボ面の上にクリア塗装膜が形成される。このように構成された金属板は、金属自身の光輝性を活かしたきらめき感のある意匠を実現する。
【先行技術文献】
【特許文献】
【０００４】
【特許文献１】特開２００１−２１２７６０号公報
【発明の概要】
【発明が解決しようとする課題】
【０００５】
特許文献１に記載の製造方法を、例えば、電子機器の筐体に用いる場合は、裏面が金属板自身の素地となるため、錆が発生したり、電気的に絶縁を必要とする電子部品の近傍付近では、ショートする危険性があるなどの問題がある。
【０００６】
ここに開示された技術は、このような事情に鑑み、高意匠でかつ防錆効果および絶縁効果がある筐体を提供することを目的とする。
【課題を解決するための手段】
【０００７】
前記課題は、筐体を製造する方法であって、
金属が絶縁膜で被覆された所定の形状の部材を用意するステップと、
前記部材の一方の面の一部をマスキングするステップと、
前記部材の両面から微粒子を吹き付けてブラスト加工するステップと、
前記部材の他方の面においてブラスト加工された部分に、保護層を形成するステップと、
を備える、筺体の製造方法によって解決される。
【発明の効果】
【０００８】
上述の筐体の製造方法によれば、高意匠でかつ防錆効果および絶縁効果がある筐体を提供することができる。
【図面の簡単な説明】
【０００９】
【図１】筐体の製造方法を示す工程図
【図２】プレス工程を示す断面図
【図３】アルマイト工程を示す断面図
【図４】ブラスト工程およびマスキング治具の装着を示す断面図
【図５】マスキング治具を外した時の断面図
【図６】塗装工程を示す断面図
【図７】電子機器筐体の構成を示す断面図
【発明を実施するための形態】
【００１０】
以下、本発明の実施形態について、図面を参照しながら説明する。
【００１１】
＜第１実施形態＞
図１は、筐体の製造方法を示す全体の工程図である。更に各工程を図２から図６を用いて説明する。
【００１２】
まず、アルミニウム材がアルマイトで被覆された所定の形状の部材を用意する。本明細書において、「部材を用意する」とは、部材を製造する概念、および、製造された部材を単に入手する概念を含む。この部材は、具体的には、たとえば、以下のように製造される。まず、アルミニウム板１を用意する（ステップＳ０１）。図２に示すように、アルミニウム板１は、プレス加工により所定の形状に成形される（ステップＳ０２）。この時のプレス加工とは、曲げ、絞り、打ち抜きといった金属加工を示す。次に図３に示すように、プレス加工されたアルミニウム板１の表面に、アルマイト加工が施される（ステップＳ０３）。そして、アルミニウム板１の表面に、絶縁層２が形成される。
【００１３】
次に図４に示すように、アルミニウム板１の裏側にマスキング治具３を取り付け（ステップＳ０４）、更にアルミニウム板全面にブラスト加工が施される（ステップＳ０５）。前記マスキング治具３は、樹脂や金属を用いたもので、アルミニウム板１に密着させる形状にするとともに、ブラスト加工による圧力で変形や反りが発生しないような剛性を有している。また、アルミニウム材１の裏面で絶縁層２を任意に剥がしたい箇所には、あらかじめマスキング治具３の該当する部分に穴７を設けている。その箇所では、ブラスト加工により前記絶縁層２が剥離され、前記アルミニウム材１の素地が露出する。ここで、ブラスト加工で用いる微粒子４は、金属系ビーズ、樹脂系ビーズ、ガラス系ビーズまたはセラミック系ビーズ等から選択して用いる。硬度の高い微粒子４でブラスト加工すると、アルミニウム表面に深く入り込み凹凸が大きくなるため、よりキラキラ感のある意匠が得られ、逆に硬度の低い微粒子４を用いると、マット調のツヤ消し効果のある意匠を得ることができ、多種類の意匠的質感を実現することができる。
【００１４】
次に、図５に示すように、マスキング治具３が外される（ステップＳ０６）。マスキング治具３を被せていない箇所は、ブラスト加工により、絶縁層２を突き破ってシボ面５が形成されている。
【００１５】
次に、図６に示すように、アルミニウム板１の表面に光透過性を有するインクが塗布され、アルミニウム板１の表面に光透過性を有する保護膜５が形成される。
【００１６】
以上説明した実施形態の筐体の製造方法によると、アルミニウム板１の外観面となる表面は、ブラスト加工で形成したシボ面５により、キラキラと反射するきらめき感のある模様を有する意匠を表現し、かつ、光透過性を有する保護膜６により防錆性や耐傷つき性を確保するとともに、裏面はアルマイトによる絶縁層２で防錆性や絶縁性を確保でき、かつ任意にアルミニウム材１の一部に素地を露出した筐体１０を構成することができる。
【００１７】
＜他の実施形態＞
本発明に係る筐体は、前述の実施形態に限られず、本発明の趣旨を逸脱しない範囲で種々の修正および変更が可能である。本発明の他の実施例を本欄にまとめて説明する。
【００１８】
上述した実施形態では、アルミニウム材１を用いたが、他の金属を用いてもよい。
【００１９】
上述した実施形態では、絶縁層２をアルマイト加工による形成としたが、電気絶縁性のある塗料を用いた塗装で実施してもよい。
【００２０】
上述した実施形態では、シボ面５は微粒子４によるブラスト処理としたが、サンドペーパーや硬質ブラシをアルミニウム板１の表面に直接擦り付けて、細かな傷を意図的な意匠とした加工を実施してもよい。
【００２１】
上述した実施形態では、保護膜６を塗装により形成したが、印刷により形成してもよい。
【００２２】
上述した実施形態では、保護膜６を光透過性のあるインクにより形成したが、光透過性を有するシートをアルミニウム板１の表面に接合して保護膜６を形成してもよい。
【００２３】
上述の筐体を電子機器に用いてもよい。この例を説明する。図７は、電子機器筐体の構成を示す断面図である。筐体１０は上述した実施形態で製造されたものである。前記筐体１０の内部には、プリント基板１１や電子部品１２が配置してある。電子機器では、金属である筐体１０と電子部品１２が接触すると、電気的ショートが発生し、発煙発火の原因となるため、筐体１０の内面１３は絶縁性が求められる。本実施形態によれば、筐体１０の内面１３は、絶縁層２で保護されているため、電気的ショートを防ぐことができる。更にこの構成では、プリント基板１１の一部と筐体１０の一部を接触させて、アースを取る構造としている。この場合、筐体１０の内面１３の一部を意図的に電気接地させる導電部１４が設けてある。前記導電部１４は、あらかじめマスキング治具の該当する部分に穴を開けておくことで、ブラスト処理によって絶縁層を剥離し、アルミニウムの素地が露出させ、導電性を確保するようになっている。導電部１４とプリント基板１１の一部を接続体１５によって接続することで、アースを取ることができる。接続体１５は、金属プレス部品や導電性を有する線材、または導電性を有するテープ等で構成される。
【産業上の利用可能性】
【００２４】
本発明に係る筐体は、安価でかつ高意匠性な外観を実現することができ、電子機器、玩具等に有用である。
【符号の説明】
【００２５】
１  アルミニウム板
２  絶縁層
３  マスキング治具
４  微粒子
５  シボ面
６  保護層
１０  筐体
１１  プリント基板
１２  電子部品
１３  内面
１４  導電部
１５  接続体
【図１】
2012051079.tif 000003
【図２】
2012051079.tif 000004
【図３】
2012051079.tif 000005
【図４】
2012051079.tif 000006
【図５】
2012051079.tif 000007
【図６】
2012051079.tif 000008
【図７】
2012051079.tif 000009